(57)【要約】【課題】札束等のシート状のもの重ねた状態で包装する包装容器を提供する。【解決手段】お札の形状に沿った形を有する底板部２の端部に、一対の短辺側板部３ａ、３ｂと一対の長辺側板部３ｃ、３ｄとをそれぞれ接続し、さらに短辺側板部３ａ、３ｂにはフラップ４ａ、４ｂを、長辺側板部３ｃ、３ｄには天板構成部５ｃ、５ｄをそれぞれ接続し、天板構成部５ｃ、５ｄを重ねることで、内側に札束Ｍを収容する包装容器１を構成する。天板構成部５ｃ、５ｄには、挿入係止部５４と、係止穴部５２を設けて、不可逆的に両者を接続する接続固定部を構成する。【選択図】図１
2018002292.tif 000002
【特許請求の範囲】
【請求項１】
シート材の形状に沿った形状を有し、包装する際にシート材束が載せられる矩形の底板部と、
該底板部の一対の長辺に折り目を介して各々接続される長辺側板部と、
前記底板部の一対の短辺に折り目を介して各々接続される短辺側板部と、前記各長辺側板部の先端側に折り目を介して各々接続され、互いに先端部を重なり合わせることで包装状態となる一対の天板構成部と、
前記各短辺側板部の先端側に、折り目を介して基端が各々接続された一対の挿入端部と、
一対の天板構成部を重なり合った状態に接続して不可逆的に固定する接続固定部とを有する包装容器。
【請求項２】
前記固定部は、
一方の天板構成部の先端に突出形成され、両端が鉤状に形成された挿入係止部と、
他方の天板構成部において、前記挿入係止部に対向する位置に形成された係止穴部とを有し、
前記挿入係止部の幅は、前記係止穴部の幅より若干大きいことを特徴とする請求項1に記載のシート材束の包装容器。
【請求項３】
前記長辺側板部又は前記短辺側板部のいずれかに、収容されているシート材束を視認するための視認窓が形成されている請求項１又は２に記載の包装容器。
【請求項４】
前記挿入端部の長さは、各側板部の高さの２．５倍以上の長さである請求項１から３のいずれか１に記載の包装容器。
【請求項５】
前記挿入端部は、先端辺と基端部折り目との間に設けられた折返し線と、
前記折返し線の先端側に形成された折返し部とを有する請求項１〜４のいずれか１に記載の包装容器。
【請求項６】
包装状態で内側に位置する天板構成部は、包装状態で折返し線に対向する位置に挿通部を有し、
包装状態において、前記折返し部は前記挿通部に挿通し、前記折返し線で折り返される請求項５に記載の包装容器。
【請求項７】
少なくとも一方の天板構成部において、前記固定部を囲む線上に所定の間隔で配置された複数の切込みからなる封止解除部を有する請求項１から６のいずれか１に記載の包装容器。
【発明の詳細な説明】
【技術分野】
【０００１】
この発明は、シート材束の包装容器に係り、詳しくは札束のような紙材等の束を包装し、封止構造を有する包装容器に関するものである。
【背景技術】
【０００２】
従来、所定枚数(例えば、１００枚)重ねられた紙幣の束を管理する場合、封止帯が束に巻き付けられている。現金を１００枚単位で扱く場合には、封止された状態を解くことはない。帯による封止は、封止されている１００枚の中から１枚〜数枚抜き取ることも可能であり、封が付いている束がず１００枚であることを保証するものではなかった。
【先行技術文献】
【特許文献】
【０００３】
【特許文献１】実用新案登録第３０９３９０７号
【発明の概要】
【発明が解決しようとする課題】
【０００４】
既述のような抜き取りを防止するには、札束の封止帯に代わって、札束の周囲を包んで包装してしまう専用の包装箱を用いるのが好ましいが、従来提案されていない。陳列用包装箱などでは、特許文献１に記載されているように、札束ではく、はがきサイズの包装箱が存在するが、札束の大きさに合わせて構成された包装容器はなかった。また、封止帯で札を束ねた場合、札の抜き取りを防止するためには、封止帯によって札束を強く締め付けて止める必要があるが、この場合には、帯で締め付けられた札が傷むといった問題もあった。
【０００５】
この発明は、札束等のシート状のもの重ねた状態で包装する包装容器を提供することを目的とするものである。
【課題を解決するための手段】
【０００６】
以上のような問題を解決する本発明は、以下の構成を有する。
（１）シート材の形状に沿った形状を有し、包装する際にシート材束が載せられる矩形の底板部と、
該底板部の一対の長辺に折り目を介して各々接続される長辺側板部と、
前記底板部の一対の短辺に折り目を介して各々接続される短辺側板部と、前記各長辺側板部の先端側に折り目を介して各々接続され、互いに先端部を重なり合わせることで包装状態となる一対の天板構成部と、
前記各短辺側板部の先端側に、折り目を介して基端が各々接続された一対の挿入端部と、
一対の天板構成部を重なり合った状態に接続して不可逆的に固定する接続固定部とを有する包装容器。
【０００７】
（２）前記固定部は、
一方の天板構成部の先端に突出形成され、両端が鉤状に形成された挿入係止部と、
他方の天板構成部において、前記挿入係止部に対向する位置に形成された係止穴部とを有し、
前記挿入係止部の幅は、前記係止穴部の幅より若干大きいことを特徴とする上記（１）に記載のシート材束の包装容器。
【０００８】
（３）前記長辺側板部又は前記短辺側板部のいずれかに、収容されているシート材束を視認するための視認窓が形成されている上記（１）又は（２）に記載の包装容器。
【０００９】
（４）前記挿入端部の長さは、各側板部の高さの２．５倍以上の長さである上記（１）〜（３）のいずれか１に記載の包装容器。
【００１０】
（５）前記挿入端部は、先端辺と基端部折り目との間に設けられた折返し線と、
前記折返し線の先端側に形成された折返し部とを有する上記（１）〜（４）のいずれか１に記載の包装容器。
【００１１】
（６）包装状態で内側に位置する天板構成部は、包装状態で折返し線に対向する位置に挿通部を有し、
包装状態において、前記折返し部は前記挿通部に挿通し、前記折返し線で折り返される上記（５）に記載の包装容器。
【００１２】
（７）少なくとも一方の天板構成部において、前記固定部を囲む線上に所定の間隔で配置された複数の切込みからなる封止解除部を有する上記（１）〜（６）のいずれか１に記載の包装容器。
【発明の効果】
【００１３】
請求項１に記載の本発明によれば、底板部と、一対の長辺側板部と、一対の短辺側板部と、一対の天板構成部とによって、内側にシート材束を収容する箱が形成される。そして、一対の天板構成部を固定部によって重なり合わせて不可逆的に固定することで、内部に収容されているシート材束を確実に封止することができる。シート材束は本発明の包装容器によって、外周面がすべて覆われているので、シート材束から一部を抜き取ることもできず、本発明の包装容器による包装を解くには、包装箱の一部を破損させなければならないので、包装容器に損傷がなければ、収容されているシート束が、包装前の枚数と同じであることを示すこととなる。
【００１４】
請求項２に記載の本発明によれば、固定部を挿入係止部と、係止穴部とによって構成することによって、粘着剤等のように不可逆的に固定するための別の要素を付加することなく、包装容器を構成する材料の形状のみで、封止構造を構成することができる。イニシャルコストの低減を図ることができる。
請求項３に記載の本発明によれば、視認窓を設けることによって、被包装物を外側から視覚により、確認することができる。
【００１５】
請求項４に記載の本発明によれば、挿入端部の長さを側板部の高さの２．５倍以上の長さとするとによって、挿入端部を引き出すことが困難となり、短辺側板部を開放して包装を解除することを抑制できる。
請求項５に記載の本発明によれば、挿入端部に折返し部を設けることで、枚数が少量であるシート材束を収容した際、折返し部によってシート材束が押さえつけられ、包装容器内でシート材束を固定することができる。
【００１６】
請求項６に記載の本発明によれば、折返し部を挿通部に挿通して折り返すことによって、挿入端部の引き出しを確実に防止することができる。
請求項７に記載の本発明によれば、封止解除部を設けることで、封止解除を容易に実行できる。
【図面の簡単な説明】
【００１７】
【図１】本発明の包装容器の展開図である。
【図２】本発明の包装容器を各折り目で折り曲げた状態を示す全体斜視図である。
【図３】本発明の包装容器の部分斜視図である。
【図４】本発明の包装容器の部分拡大断面側面図である。
【図５】本発明の包装容器の部分斜視図である。
【図６】本発明の包装容器の全体斜視図である。
【図７】本発明の包装容器の封止状態を示す全体斜視図である。
【図８】封止解除部の構成を示す、本発明の包装容器の部分展開図である。
【発明を実施するための形態】
【００１８】
以下、本発明に係る包装容器について、添付図面に基づいて詳細に説明する。図１に示されているように、本発明の包装容器１は、所望の剛性を有するシート材を所定の展開図形に切り出し、その切り出したものを所定の折り目で折り曲げて箱状に組み上げて構成されている。本発明の包装容器では、ボール紙を切り出したものを組み立てて構成されている。ボール紙の他、プラスチックなどの樹脂製の薄板や、薄い金属板を用いてもよい。
図１の展開図は、包装容器１の外側を表す図である。図２は、後述する各折り目で折り曲げられた状態（開放状態）を示す包装容器１の全体斜視図である。包装容器１は、容器の底部となる矩形の底板部２と、底板部２の対向する長辺に、折り目２１ｄ、２１ｃを介して各々接続された長辺側板部３ｄ、３ｃと、底板部２の対向する短辺に、折り目２１ａ、２１ｂを介して各々接続された短辺側板部３ａ、３ｂと、長辺側板部３ｄ、３ｃに折り目３１ｄ、３１ｃを介して各々接続された天板構成部５ｄ、５ｃと、短辺側板部３ａ、３ｂに折り目３１ａ、３１ｂを介して接続された挿入端部であるフラップ４ａ、４ｂとを有している。
【００１９】
底板部２の外側面には、文字情報や図形情報等の視覚情報を書き込むための情報担持領域２２が設けられている。底板部２の形状は、内側に収容される被収容物としての、シート材束の形状に合わせた長方形に構成されている。収容されるシート材束を構成するシート材とは、例えば、お札、商品券等の財産的価値を有する券、その他、これに限らず、個人的に価値を有するもの（例えば、思い出の品や、写真等）であってもよい。
【００２０】
底板部２を矩形に囲む端辺部には、長辺部分に折り目２１ｄ、２１ｃが、短辺部分に折り目２１ａ、２１ｂがそれぞれ設けられている。折り目２１ｄを介して長辺側板部３ｄが接続されており、この長辺側板部３ｄも矩形に構成され、その幅Ｔは、シート材束の厚さに対応した長さとなっている。同様に、折り目２１ｃを介して長辺側板部３ｃが底板部２に接続されている。長辺側板部３ｃと長辺側板部３ｄは、同形状に構成されている。
【００２１】
折り目２１ａを介して短辺側板部３ａが接続されており、この短辺側板部３ａも矩形に構成されている。同様に、折り目２１ｂを介して短辺側板部３ｂが底板部２に接続されている。短辺側板部３ａと短辺側板部３ｂは、同形状に構成されており、短辺側板部３ｂには、孔が形成されており、この孔によって視認窓４４が構成される。視認窓４４は、包装容器１に格納されたシート材の種類や量を、外側から視覚で確認するためにもちられる。側板部３ａ、３ｂ、３ｃ、３ｄの高Ｔさは、包装容器１に収容されるシート材束の量に応じて決められ、この実施形態では、１００枚束ねた場合の厚さに対応している。
【００２２】
短辺側板部３ａ、３ｂの先端側端部には、折り目３１ａ、３１ｂを介してフラップ４ａ、４ｂが接続されている。フラップ４ａ、４ｂは、包装容器１の組み立て状態では、天板構成部５ｃ、５ｄの内側に位置し、シート材束Ｍと、天板構成部５ｃ、５ｄとの間に位置する。包装状態において、フラップ４ａ、４ｂが外際に引き出されて、短辺側板部３ａ、３ｂが開放されないように、フラップ４ａ、４ｂの長さＷ３は、十分な長さが必要であり、少なくとも短辺側板部３ａ、３ｂの高さＴの２．５倍以上長さを有していることが好ましい。フラップ４ａ、４ｂの先端には、略中央部分に２つの切込み４１ａ、４１ａ、４１ｂ、４１ｂがそれぞれ平行に形成されており、切込み４１ａ、４１ａ間には、折返し部４２ａが、切込み４１ｂ、４１ｂの間には、折返し部４２ｂがそれぞれ形成されている。各折返し部４２ａ、４２ｂは、基端部の折り目４３ａ、４３ｂで折り返される構成となっている。
【００２３】
短辺側板部３ａの両端部には、折り目３１１ａ、３１２ａを介して、内フラップ３２ａ、３２ａが設けられ、短辺側板部３ｂの両端部には、折り目３１１ｂ、３１２ｂを介して、内フラップ３２ｂ、３２ｂが設けられている。これらの内フラップ３２ａ、３２ａ、３２ｂ、３２ｂは、包装状態において、長辺側板部３ｃ、３ｄの内側に位置する。包装状態において、短辺側板部３ａ、３ｂを外側に引き出す操作をすると、内フラップ３２ａ、３２ａ、３２ｂ、３２ｂが天板構成部５ｃ、５ｄの端部に当接し、短辺側板部３ａ、３ｂが開放されることを抑制する。
【００２４】
長辺側板部３ｄの先端部には折り目３１ｄを介して天板構成部５ｄが接続され、長辺側板部３ｃの先端部には折り目３１ｃを介して天板構成部５ｃが接続されている。天板構成部５ｄ、５ｃは、各折り目３１ｄ、３１ｃにて内側に折り込まれることによって、先端部分が重なり、包装容器１の天板部分を構成する。
【００２５】
天板構成部５ｄは、包装状態では、内側に、天板構成部５ｃは外側に位置する。天板構成部５ｄは、先端部の中央部分に、切込みが形成され、該切込みによって係止穴部５２が設けられている。係止穴部５２は、天板構成部５ｄの幅方向に延設され、中央部が天板構成部５ｄの先端方向に突出するように湾曲した形状であって、更に中央部には、先端側に湾曲して突出する形状の孔５３が形成されている。さらに、天板構成部５ｄにおいて、係止穴部５２の両側に切込みが形成され、該切込みによって挿通部５６ａ、５６ｂが設けられている。該挿通部５６ａ、５６ｂは、基端から先端方向に向けて相互に平行に形成されており、挿通部５６ａ、５６ｂの形成位置は、包装状態において、フラップ４ａ、４ｂに形成された折り目４３ａ、４３ｂの位置に対向する位置となっている。また、挿通部５６ａ、５６ｂの長さは、フラップ４ａ、４ｂの折返し部４２ａ、４２ｂの幅と同一又は少し長く形成されている。
【００２６】
天板構成部５ｃは、先端辺中央部分に、挿入係止部５４が突出形成されている。この挿入係止部５４は、天板構成部５ｃの幅方向における中心線を中心として線対称形状であって、中心の先端部５４２から両端へ向けて基端方向へ傾斜する傾斜部５４１、５４１と、傾斜部５４１、５４１両端から中心へ向けて切り込まれた切込み部５４３、５４３とを備え、全体として左右対称の鉤状に形成されている。なお、傾斜部５４１、５４１の端部接線に対して、切込み部５４３、５４３の成す角は、鋭角となるように構成されている。
【００２７】
挿入係止部５４の幅Ｗ２は、係止穴部５２の幅Ｗ１よりも若干大きく構成されており、挿入係止部５４が係止穴部５２に挿入されて、挿入係止部５４の全体が係止穴部５２を通過してしまうと、逆方向には抜けない構成となっている。つまり、挿入係止部５４と係止穴部５２とによって構成される接続固定部は、係止穴部５２に挿入係止部５４の全体を挿入させることで、不可逆的に封止固定される構造となっている。
【００２８】
以上のような構成において、図１に示されている展開図の折り目のすべてが、山側となるように折り込むと、図２に示されているように、箱を開いた状態となる。この状態で、底板部２の内側面上にシート材束である札束Ｍを載せる。枚数は１００枚とする。包装する枚数が１００枚に満たない場合には、図３に示されているように、折り目４３ａ、４３ｂで折返し部４２ａ、４２ｂを折り返す。折り返し方向は、内側でも外側でもよい。
【００２９】
例えば、図３に示されているように、内側に折り返した場合には、図４（Ａ）に示されているように、包装状態において、折返し部４２ｂの先端が札束Ｍの表面に当接し、札束Ｍを底板部２へ押し付けることとなり、札束Ｍを包装容器１内で固定することができる。また、折返し部４２ｂを外側に折り返した場合には、図４（Ｂ）に示されているように、包装状態において、折返し部４２ｂの先端は天板構成部５ｄの内側面に当接することで、フラップ４ｂの先端を札束Ｍの表面に押し付けることとなり、札束Ｍを包装容器１内で固定することができる。このように、折返し部４２ａ、４２ｂを内側に折り返した場合には、被包装物である札束Ｍの端部を押さえ、外側に折り返した場合には、札束Ｍの中心付近を押さえる構成となる。
【００３０】
さらに、折返し部４２ａ、４２ｂは、他の用途に使用できる。図５に示されているように、折返し部４２ａ、４２ｂ（図５では、折返し部４２ｂを示す。）を外側に折返し、外側から被せられる天板構成部５ｄの挿通部５６ｂを、内側から外側へ挿通させて、折り目４３ｂで折り返す。このように組み合わせることによって、折返し部４２ｂが挿通部５６ｂに引っ掛かっているため、封止された包装状態でフラップ４ｂを外方向に引き抜くことが防止され、封止が確実に担保される。
【００３１】
以上のとおり、フラップ４ａ、４ｂを内側に折り込んで、札束Ｍの上に重ねたのち、天板構成部５ｄを内側に折り曲げて、フラップ４ａ、４ｂの上から重ね、更に、天板構成部５ｃを天板構成部５ｄに重ねる。図６に示されているように、係止穴部５２に挿入係止部５４の先端部５４２を突き合わせる。孔５３に先端部５４２を挿入し、係止穴部５２の下側に先端部５４２を挿入する。さらに挿入係止部５４を押し進めると、両側の傾斜部５４１、５４１が係止穴部５２の切込み部分を割って進入し、最終的に挿入係止部５４の最も幅が広い部分が、係止穴部５２を通過する。この際、挿入係止部５４の幅Ｗ２は、係止穴部５２の幅Ｗ１よりも若干大きいので、挿入係止部５４を少し撓ました状態として挿入を完了させる。
【００３２】
一旦挿入が完了した挿入係止部５４は、切込み部５４３、５４３で構成された鉤状部分の両先端が鋭角であることと、係止穴部５２の下側に位置する挿入係止部５４のみを撓ませることができないので、挿入係止部５４を係止穴部５２から引き出すことが不可能となる。このようにして、札束Ｍを収容した包装容器１は、不可逆的に封止される。この包装容器１による包装を解く場合には、包装容器１のいずれかの場所を破るなどして、破損させなければならない。つまり、包装容器１が破損されていなければ、収容されている札束Ｍは、包装直前の枚数であることが保証されていることとなる。
さらに、封止確実にするために、図７に示されているように、挿入係止部５４と係止穴部５２とにまたがって、封止シール６をさらに、封止確実にするために、図７に示されているように、挿入係止部５４と係止穴部５２とにまたがって、封止シール貼り付けてもよい。この場合の封止シールの粘着剤は、剥離剤によっても剥がれない性質のものであることが好ましい。
【００３３】
図８に示されているように、封止解除部５５を設けてもよい。封止解除部５５は、接続固定部を構成する挿入係止部５４を、包装容器１から切り離すことによって、封止を解除するものである。天板構成部５ｃの基端に位置する折り目３１ｃには、挿入係止部５４に対向する位置に、長辺側板部３ｃ側に突出して形成された切込み５５２が設けられており、該切込み５５２から、挿入係止部５４の両側へ向けて、間隔が漸増する方向に、切込み５５１が等間隔で配置されている。
【００３４】
切込み５５１の配列は、天板構成部５ｃの先端辺に到達している。切込み５５２は、天板構成部５ｃを折り目３１ｃで折り曲げることによって、外側に少し突出する構成となっており、開封の際には、摘まみやすい形状となっている。切込み５５２の部分を摘まみ上げて引き裂くことによって、切込み５５１の間が順に破れて、天板構成部５ｃの先端辺に到達し、最終的に挿入係止部５４が天板構成部５ｃから切り離され、開封される。以上のように構成された封止解除部５５は、天板構成部５ｄに設けられていてもよい。
【符号の説明】
【００３５】
１  包装容器
２  底板部
２１ａ〜２１ｄ  折り目
３ａ、３ｂ  短辺側板部
３ｃ、３ｄ  長辺側板部
３１ａ〜３１ｄ  折り目
３２ａ、３２ｂ  内フラップ
４ａ、４ｂ  フラップ
４１ａ、４１ｂ  切込み
４２ａ、４２ｂ  折返し部
４３ａ、４３ｂ  折り目
４４  視認窓
５ｃ、５ｄ  天板構成部
５２  係止穴部
５３  孔
５４  挿入係止部
５４１  傾斜部
５４２  先端部
５４３  切込み部
５５  封止解除部
５５１  切込み
５５２  切込み
５６ａ、５６ｂ  挿通部
６  シール
Ｍ  札束（シート材束）
【図１】
2018002292.tif 000003
【図２】
2018002292.tif 000004
【図３】
2018002292.tif 000005
【図４】
2018002292.tif 000006
【図５】
2018002292.tif 000007
【図６】
2018002292.tif 000008
【図７】
2018002292.tif 000009
【図８】
2018002292.tif 000010
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
シート材の形状に沿った形状を有し、包装する際にシート材束が載せられる矩形の底板部と、
該底板部の一対の長辺に折り目を介して各々接続される長辺側板部と、
前記底板部の一対の短辺に折り目を介して各々接続される短辺側板部と、
前記各長辺側板部の先端側に折り目を介して各々接続され、互いに先端部を重なり合わせることで包装状態となる一対の天板構成部と、
前記各短辺側板部の先端側に、折り目を介して基端が各々接続された一対の挿入端部と、
一対の天板構成部を重なり合った状態に接続して不可逆的に固定する接続固定部と、
前記長辺側板部又は前記短辺側板部のいずれかに形成され、収容されているシート材束を視認するための視認窓と、
前記挿入端部の先端辺と基端部折り目との間に設けられた折返し線と、
前記折返し線の先端側に形成され該折返し線で折り返される折返し部とを有し、
前記折返し部が、前記折返し線で内側に折り返された場合には、包装状態において折返し部の先端がシート材の表面に当接され、
前記折返し部が、前記折返し線で外側に折り返された場合には、包装状態において前記挿入端部の先端がシート材の表面に押し付けられることを特徴とする包装容器。
【請求項２】
前記固定部は、
一方の天板構成部の先端に突出形成され、両端が鉤状に形成された挿入係止部と、
他方の天板構成部において、前記挿入係止部に対向する位置に形成された係止穴部とを有し、
前記挿入係止部の幅は、前記係止穴部の幅より若干大きいことを特徴とする請求項1に記載のシート材束の包装容器。
【請求項３】
前記挿入端部の長さは、各側板部の高さの２．５倍以上の長さである請求項１又は２に記載の包装容器。
【請求項４】
包装状態で先端部が重ねられる一対の天板構成部の内、内側に位置する天板構成部は、包装状態で前記折返し線に対向する位置に挿通部を有し、
包装状態において、前記折返し部は前記挿通部に挿通し、前記折返し線で折り返される請求項１から３のいずれか１に記載の包装容器。
【請求項５】
少なくとも一方の天板構成部において、前記固定部を囲む線上に所定の間隔で配置された複数の切込みからなる封止解除部を有する請求項１から４のいずれか１に記載の包装容器。
【手続補正２】
【補正対象書類名】明細書
【補正対象項目名】０００６
【補正方法】変更
【補正の内容】
【０００６】
（１）シート材の形状に沿った形状を有し、包装する際にシート材束が載せられる矩形の底板部と、
該底板部の一対の長辺に折り目を介して各々接続される長辺側板部と、
前記底板部の一対の短辺に折り目を介して各々接続される短辺側板部と、
前記各長辺側板部の先端側に折り目を介して各々接続され、互いに先端部を重なり合わせることで包装状態となる一対の天板構成部と、
前記各短辺側板部の先端側に、折り目を介して基端が各々接続された一対の挿入端部と、
一対の天板構成部を重なり合った状態に接続して不可逆的に固定する接続固定部と、
前記長辺側板部又は前記短辺側板部のいずれかに形成され、収容されているシート材束を視認するための視認窓と、
前記挿入端部の先端辺と基端部折り目との間に設けられた折返し線と、
前記折返し線の先端側に形成され該折返し線で折り返される折返し部とを有し、
前記折返し部が、前記折返し線で内側に折り返された場合には、包装状態において折返し部の先端がシート材の表面に当接され、
前記折返し部が、前記折返し線で外側に折り返された場合には、包装状態において前記挿入端部の先端がシート材の表面に押し付けられることを特徴とする包装容器。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
（３）前記長辺側板部又は前記短辺側板部のいずれかに、収容されているシート材束を視認するための視認窓が形成されている上記（１）又は（２）に記載の包装容器。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
（４）包装状態で先端部が重ねられる一対の天板構成部の内、内側に位置する天板構成部は、包装状態で前記折返し線に対向する位置に挿通部を有し、
包装状態において、前記折返し部は前記挿通部に挿通し、前記折返し線で折り返される上記（１）から（３）のいずれか１に記載の包装容器。
【手続補正７】
【補正対象書類名】明細書
【補正対象項目名】００１２
【補正方法】変更
【補正の内容】
【００１２】
（５）少なくとも一方の天板構成部において、前記固定部を囲む線上に所定の間隔で配置された複数の切込みからなる封止解除部を有する上記（１）から（４）のいずれか１に記載の包装容器。
【手続補正８】
【補正対象書類名】明細書
【補正対象項目名】００１３
【補正方法】変更
【補正の内容】
【００１３】
請求項１に記載の本発明によれば、底板部と、一対の長辺側板部と、一対の短辺側板部と、一対の天板構成部とによって、内側にシート材束を収容する箱が形成される。そして、一対の天板構成部を固定部によって重なり合わせて不可逆的に固定することで、内部に収容されているシート材束を確実に封止することができる。シート材束は本発明の包装容器によって、外周面がすべて覆われているので、シート材束から一部を抜き取ることもできず、本発明の包装容器による包装を解くには、包装箱の一部を破損させなければならないので、包装容器に損傷がなければ、収容されているシート束が、包装前の枚数と同じであることを示すこととなる。
視認窓を設けることによって、被包装物を外側から視覚により、確認することができる。挿入端部に折返し部を設けることで、枚数が少量であるシート材束を収容した際、折返し部によってシート材束が押さえつけられ、包装容器内でシート材束を固定することができる。
【手続補正９】
【補正対象書類名】明細書
【補正対象項目名】００１４
【補正方法】変更
【補正の内容】
【００１４】
請求項２に記載の本発明によれば、固定部を挿入係止部と、係止穴部とによって構成することによって、粘着剤等のように不可逆的に固定するための別の要素を付加することなく、包装容器を構成する材料の形状のみで、封止構造を構成することができる。イニシャルコストの低減を図ることができる。
【手続補正１０】
【補正対象書類名】明細書
【補正対象項目名】００１５
【補正方法】変更
【補正の内容】
【００１５】
請求項３に記載の本発明によれば、挿入端部の長さを側板部の高さの２．５倍以上の長さとするとによって、挿入端部を引き出すことが困難となり、短辺側板部を開放して包装を解除することを抑制できる。
【手続補正１１】
【補正対象書類名】明細書
【補正対象項目名】００１６
【補正方法】変更
【補正の内容】
【００１６】
請求項４に記載の本発明によれば、折返し部を挿通部に挿通して折り返すことによって、挿入端部の引き出しを確実に防止することができる。
請求項５に記載の本発明によれば、封止解除部を設けることで、封止解除を容易に実行できる。
【手続補正１２】
【補正対象書類名】明細書
【補正対象項目名】００２２
【補正方法】変更
【補正の内容】
【００２２】
短辺側板部３ａ、３ｂの先端側端部には、折り目３１ａ、３１ｂを介してフラップ４ａ、４ｂが接続されている。フラップ４ａ、４ｂは、包装容器１の組み立て状態では、天板構成部５ｃ、５ｄの内側に位置し、シート材束Ｍと、天板構成部５ｃ、５ｄとの間に位置する。包装状態において、フラップ４ａ、４ｂが外際に引き出されて、短辺側板部３ａ、３ｂが開放されないように、フラップ４ａ、４ｂの長さＷ３は、十分な長さが必要であり、少なくとも短辺側板部３ａ、３ｂの高さＴの２．５倍以上長さを有していることが好ましい。フラップ４ａ、４ｂの先端には、略中央部分に２つの切込み４１ａ、４１ａ、４１ｂ、４１ｂがそれぞれ平行に形成されており、切込み４１ａ、４１ａ間には、折返し部４２ａが、切込み４１ｂ、４１ｂの間には、折返し部４２ｂがそれぞれ形成されている。各折返し部４２ａ、４２ｂは、基端部の折返し線である折り目４３ａ、４３ｂで折り返される構成となっている。
【手続補正１３】
【補正対象書類名】明細書
【補正対象項目名】００３５
【補正方法】変更
【補正の内容】
【００３５】
１  包装容器
２  底板部
２１ａ〜２１ｄ  折り目
３ａ、３ｂ  短辺側板部
３ｃ、３ｄ  長辺側板部
３１ａ〜３１ｄ  折り目
３２ａ、３２ｂ  内フラップ
４ａ、４ｂ  フラップ
４１ａ、４１ｂ  切込み
４２ａ、４２ｂ  折返し部
４３ａ、４３ｂ  折り目(折返し線)
４４  視認窓
５ｃ、５ｄ  天板構成部
５２  係止穴部
５３  孔
５４  挿入係止部
５４１  傾斜部
５４２  先端部
５４３  切込み部
５５  封止解除部
５５１  切込み
５５２  切込み
５６ａ、５６ｂ  挿通部
６  シール
Ｍ  札束（シート材束）
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
シート材の形状に沿った形状を有し、包装する際にシート材束が載せられる矩形の底板部と、
該底板部の一対の長辺に折り目を介して各々接続される長辺側板部と、
前記底板部の一対の短辺に折り目を介して各々接続される短辺側板部と、
前記各長辺側板部の先端側に折り目を介して各々接続され、互いに先端部を重なり合わせることで包装状態となる一対の天板構成部と、
前記各短辺側板部の先端側に、折り目を介して基端が各々接続された一対の挿入端部と、
一対の天板構成部を重なり合った状態に接続して不可逆的に固定する接続固定部と、
前記長辺側板部又は前記短辺側板部のいずれかに形成され、収容されているシート材束を視認するための視認窓と、
前記挿入端部の先端辺と基端部折り目との間に設けられた折返し線と、
前記折返し線の先端側に形成され該折返し線で折り返される折返し部とを有し、
前記折返し部が、前記折返し線で内側に折り返された場合には、包装状態において折返し部の先端がシート材の表面に当接され、
前記折返し部が、前記折返し線で外側に折り返された場合には、包装状態において前記挿入端部の先端がシート材の表面に押し付けられることを特徴とする包装容器。
【請求項２】
前記接続固定部は、
一方の天板構成部の先端に突出形成され、両端が鉤状に形成された挿入係止部と、
他方の天板構成部において、前記挿入係止部に対向する位置に形成された係止穴部とを有し、
前記挿入係止部の幅は、前記係止穴部の幅より若干大きいことを特徴とする請求項1に記載のシート材束の包装容器。
【請求項３】
前記挿入端部の長さは、各側板部の高さの２．５倍以上の長さである請求項１又は２に記載の包装容器。
【請求項４】
包装状態で先端部が重ねられる一対の天板構成部の内、内側に位置する天板構成部は、包装状態で前記折返し線に対向する位置に挿通部を有し、
包装状態において、前記折返し部は前記挿通部に挿通し、前記折返し線で折り返される請求項１から３のいずれか１に記載の包装容器。
【請求項５】
少なくとも一方の天板構成部において、前記固定部を囲む線上に所定の間隔で配置された複数の切込みからなる封止解除部を有する請求項１から４のいずれか１に記載の包装容器。
【手続補正２】
【補正対象書類名】明細書
【補正対象項目名】０００７
【補正方法】変更
【補正の内容】
【０００７】
（２）前記接続固定部は、
一方の天板構成部の先端に突出形成され、両端が鉤状に形成された挿入係止部と、
他方の天板構成部において、前記挿入係止部に対向する位置に形成された係止穴部とを有し、
前記挿入係止部の幅は、前記係止穴部の幅より若干大きいことを特徴とする上記（１）に記載のシート材束の包装容器。
【手続補正３】
【補正対象書類名】明細書
【補正対象項目名】００１４
【補正方法】変更
【補正の内容】
【００１４】
請求項２に記載の本発明によれば、接続固定部を挿入係止部と、係止穴部とによって構成することによって、粘着剤等のように不可逆的に固定するための別の要素を付加することなく、包装容器を構成する材料の形状のみで、封止構造を構成することができる。イニシャルコストの低減を図ることができる。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
シート材の形状に沿った形状を有し、包装する際にシート材束が載せられる矩形の底板部と、
該底板部の一対の長辺に折り目を介して各々接続される長辺側板部と、
前記底板部の一対の短辺に折り目を介して各々接続される短辺側板部と、
前記各長辺側板部の先端側に折り目を介して各々接続され、互いに先端部を重なり合わせることで包装状態となる一対の天板構成部と、
前記各短辺側板部の先端側に、折り目を介して基端が各々接続された一対の挿入端部と、
一対の天板構成部を重なり合った状態に接続して不可逆的に固定する接続固定部と、
前記長辺側板部又は前記短辺側板部のいずれかに形成され、収容されているシート材束を視認するための視認窓と、
前記挿入端部の先端辺と基端部折り目との間に設けられた折返し線と、
前記折返し線の先端側に形成され該折返し線で折り返される折返し部とを有し、
前記折返し部が、前記折返し線で内側に折り返された場合には、包装状態において折返し部の先端がシート材の表面に当接され、
前記折返し部が、前記折返し線で外側に折り返された場合には、包装状態において前記挿入端部の先端がシート材の表面に押し付けられることを特徴とする包装容器。
【請求項２】
前記接続固定部は、
一方の天板構成部の先端に突出形成され、両端が鉤状に形成された挿入係止部と、
他方の天板構成部において、前記挿入係止部に対向する位置に形成された係止穴部とを有し、
前記挿入係止部の幅は、前記係止穴部の幅より若干大きいことを特徴とする請求項1に記載の包装容器。
【請求項３】
前記挿入端部の長さは、各側板部の高さの２．５倍以上の長さである請求項１又は２に記載の包装容器。
【請求項４】
包装状態で先端部が重ねられる一対の天板構成部の内、内側に位置する天板構成部は、包装状態で前記折返し線に対向する位置に挿通部を有し、
包装状態において、前記折返し部は前記挿通部に挿通し、前記折返し線で折り返される請求項１〜３のいずれか１に記載の包装容器。
【請求項５】
少なくとも一方の天板構成部において、前記接続固定部を囲む線上に所定の間隔で配置された複数の切込みからなる封止解除部を有する請求項１〜４のいずれか１に記載の包装容器。
【手続補正２】
【補正対象書類名】明細書
【補正対象項目名】０００７
【補正方法】変更
【補正の内容】
【０００７】
（２）前記接続固定部は、
一方の天板構成部の先端に突出形成され、両端が鉤状に形成された挿入係止部と、
他方の天板構成部において、前記挿入係止部に対向する位置に形成された係止穴部とを有し、
前記挿入係止部の幅は、前記係止穴部の幅より若干大きいことを特徴とする上記（１）に記載の包装容器。
【手続補正３】
【補正対象書類名】明細書
【補正対象項目名】０００９
【補正方法】変更
【補正の内容】
【０００９】
（３）前記挿入端部の長さは、各側板部の高さの２．５倍以上の長さである上記（１）又は（２）に記載の包装容器。
【手続補正４】
【補正対象書類名】明細書
【補正対象項目名】００１１
【補正方法】変更
【補正の内容】
【００１１】
（４）包装状態で先端部が重ねられる一対の天板構成部の内、内側に位置する天板構成部は、包装状態で前記折返し線に対向する位置に挿通部を有し、
包装状態において、前記折返し部は前記挿通部に挿通し、前記折返し線で折り返される上記（１）〜（３）のいずれか１に記載の包装容器。
【手続補正５】
【補正対象書類名】明細書
【補正対象項目名】００１２
【補正方法】変更
【補正の内容】
【００１２】
（５）少なくとも一方の天板構成部において、前記接続固定部を囲む線上に所定の間隔で配置された複数の切込みからなる封止解除部を有する上記(１)〜(４)のいずれか１に記載の包装容器。